(57)【要約】      （修正有）【課題】清掃モップのヘッド部に取り付けられて使用される清掃モップ用シートであって、着脱が容易でかつ使用時にシートが外れるという問題が発生しにくい清掃モップ用シートを提供する。【解決手段】清掃モップ用シートであって、ボタン方式、面ファスナー、フック、シール、およびファスナーからなる群より選択される留め部を有する。【選択図】図１
0003216633.tif 000002
【実用新案登録請求の範囲】
【請求項１】
清掃モップ用シートであって、留め部を有することを特徴とする清掃モップ用シート。
【請求項２】
前記留め部が、ボタン方式、面ファスナー、フック、シール、およびファスナーからなる群より選択されるいずれかである、請求項１に記載の清掃モップ用シート。
【請求項３】
前記ボタン方式が、ボタン部と、輪状のボタン掛け部とを有する、請求項２に記載の清掃モップ用シート。
【請求項４】
清掃モップ用シートが、単繊維繊度０．００１〜１．０ｄｔｅｘの極細繊維を含む、請求項１〜３のいずれかに記載の清掃モップ用シート。
【請求項５】
清掃モップ用シートが、パイル布帛または不織布である、請求項１〜４のいずれかに記載の清掃モップ用シート。
【考案の詳細な説明】
【技術分野】
【０００１】
本考案は、清掃モップのヘッド部に取り付けられて使用される清掃モップ用シートであって、着脱が容易でかつ使用時にシートが外れるという問題が発生しにくい清掃モップ用シートに関する。
【背景技術】
【０００２】
従来、清掃モップのヘッド部に取り付けられて使用される清掃モップ用シートは種々提案されている（例えば、特許文献１、２）。
しかしながら、従来の清掃モップ用シートでは、使用時にシートが外れるという問題があった。
【先行技術文献】
【特許文献】
【０００３】
【特許文献１】特開２００５−３４２２６０号公報
【特許文献２】特開２０１２−１４３５０７号公報
【考案の概要】
【考案が解決しようとする課題】
【０００４】
本考案は、上記の背景に鑑みなされたものであり、清掃モップのヘッド部に取り付けられて使用される清掃モップ用シートであって、着脱が容易でかつ使用時にシートが外れるという問題が発生しにくい清掃モップ用シートを提供することにある。
【課題を解決するための手段】
【０００５】
本考案者は、留め部を採用することで着脱が容易でかつ使用時にシートが外れるという問題が発生しにくい清掃モップ用シートが得られることを見出し、さらに鋭意検討を重ねることにより本考案に到達した。
【０００６】
かくして、本考案によれば「清掃モップ用シートであって、留め部を有することを特徴とする清掃モップ用シート。」が提供される。
【０００７】
その際、前記留め部が、ボタン方式、面ファスナー、フック、シール、およびファスナーからなる群より選択されるいずれかであることが好ましい。特に、前記ボタン方式が、ボタン部と、輪状のボタン掛け部とを有することが好ましい。また、清掃モップ用シートが、単繊維繊度０．００１〜１．０ｄｔｅｘの極細繊維を含むことが好ましい。また、清掃モップ用シートが、パイル布帛または不織布であることが好ましい。
【考案の効果】
【０００８】
本考案によれば、清掃モップのヘッド部に取り付けられて使用される清掃モップ用シートであって、着脱が容易でかつ使用時にシートが外れるという問題が発生しにくい清掃モップ用シートが得られる。
【図面の簡単な説明】
【０００９】
【図１】本考案の清掃モップ用シートの一例を示す図である。
【図２】本考案の清掃モップ用シートを清掃モップのヘッド部に取り付けた状態を撮影した写真である。
【考案を実施するための形態】
【００１０】
以下、本考案の清掃モップ用シートについて詳細に説明する。なお、本考案は下記実施例に限定されるものではない。
【００１１】
本考案の清掃モップ用シートは、留め部を有する。その際、前記留め部が、ボタン方式、面ファスナー、フック、シール、およびファスナーからなる群より選択されるいずれかであることが好ましい。
【００１２】
特に、前記ボタン方式が、ボタン部と、輪状のボタン掛け部とを有することが好ましい。例えば、図２に示すように清掃モップ用シートは清掃モップのヘッド部に取り付けられる。
その際、前記ボタン掛け部が輪状であると、ボタンを固定しやすく好ましい。
【００１３】
本考案の清掃モップ用シートにおいて、本体のシートを構成する布帛について、その制限はないが、優れた拭き取り性能を得る上で、単繊維繊度０．００１〜１．０ｄｔｅｘの極細繊維を含むことが好ましい。
【００１４】
かかる極細繊維の種類は特に限定されず、ポリエチレンテレフタレート、ポリトリメリレンテレフタレートなどのポリエステルやポリアミドに代表される合成繊維や、再生繊維、半合成繊維、天然繊維など自由に選択できる。この中でも、単繊維繊度が０．００１〜１．０ｄｔｅｘの極細繊維を得る上で合成繊維が好ましく例示される。
【００１５】
かかる極細繊維の製造方法については常法の方法を採用することができる。例えば、ポリマーとして、ポリエチレンテレフタレートとポリアミドを使用して、分割可能な割繊型複合繊維を、染色工程の熱履歴やアルカリ減量工程や仮撚捲縮加工により割繊されたものが、空隙が多く優れた吸水性が得られ好ましい。また、かかる極細繊維に仮撚捲縮加工が施されてもよい。
【００１６】
本体のシートを構成する布帛としては優れた拭き取り性能を得る上でパイル布帛が好ましい。かかるパイル布帛の布帛組織としては、特に限定されず、例えば、片面パイル、両面パイル、二重ビロードなどパイル織機によって得られるパイル織物や、トリコット編機、ラッセル編機、シンカーパイル編機、シール編機により得られるパイル編物が例示される。次に、該ループパイル布帛に、常法に従い、染色、仕上げセットを施すことが好ましい。該立毛布帛に、必要に応じて、吸水剤、平滑剤、抗菌剤、消毒剤などを付与してもよい。
【００１７】
かかる布帛において、目付けは１５０〜９００ｇｒ／ｍ２の範囲内であることが好ましい。該目付けが１５０ｇｒ／ｍ２より小さいと、吸水性が低下するおそれがある。逆に、該目付けが９００ｇｒ／ｍ２より大きいと軽量性が損なわれるおそれがある。
【００１８】
本考案の清掃モップ用シートは前記構成を有するので、着脱が容易でかつ使用時にシートが外れるという問題が発生しにくい。
【実施例】
【００１９】
以下、実施例をあげて本考案をさらに具体的に説明する。なお、実施例中の物性は下記の方法により測定した。
（１）目付け
ＪＩＳＬ１０１８−１９９０    ６．４により目付け（ｇｒ／ｍ２）を測定した。
【００２０】
［実施例１］
分割型極細仮撚捲縮加工糸（ポリエチレンテレフタレート：ナイロン＝５０重量％：５０重量％）１６８ｄｔｅｘ／４０ｆｉｌ（１フィラメントが１６分割可能型）を用いて常法によりループパイル織物を得た後、常法に従い、染色、仕上げセットを施して、極細繊維（単繊維繊度が０．２６ｄｔｅｘ）を含むパイル織物（目付け５２０ｇｒ／ｍ２）を得た。
【００２１】
次いで、該パイル織物を用いて、図１に示すような、ボタンとボタン掛け部とを有する清掃モップ用シートを得た。
【００２２】
次いで、該清掃モップ用シートを用いて清掃モップのヘッド部に取り付けて使用したところ、着脱が容易でかつ使用時にシートが外れるという問題が発生しにくかった。
【産業上の利用可能性】
【００２３】
本考案によれば、清掃モップのヘッド部に取り付けられて使用される清掃モップ用シートであって、着脱が容易でかつ使用時にシートが外れるという問題が発生しにくい清掃モップ用シートが得られ、その工業的価値は極めて大である。
【符号の説明】
【００２４】
１：清掃モップ用シート
２−１、２−２：ボタン
３−１、３−２：ボタン掛け部
４：シート本体
【図１】
0003216633.tif 000003
【図２】
0003216633.tif 000004
【手続補正書】
【提出日】平成30年4月5日(2018.4.5)
【手続補正１】
【補正対象書類名】実用新案登録請求の範囲
【補正対象項目名】全文
【補正方法】変更
【補正の内容】
【実用新案登録請求の範囲】
【請求項１】
清掃モップ用シートであって、ボタン方式、面ファスナー、フック、シール、およびファスナーからなる群より選択されるいずれかである留め部を有することを特徴とする清掃モップ用シート。
【請求項２】
前記ボタン方式が、ボタン部と、輪状のボタン掛け部とを有する、請求項１に記載の清掃モップ用シート。
【請求項３】
清掃モップ用シートが、単繊維繊度０．００１〜１．０ｄｔｅｘの極細繊維を含む、請求項１または請求項２に記載の清掃モップ用シート。
【請求項４】
清掃モップ用シートが、パイル布帛または不織布である、請求項１〜３のいずれかに記載の清掃モップ用シート。
【手続補正２】
【補正対象書類名】明細書
【補正対象項目名】０００７
【補正方法】変更
【補正の内容】
【０００７】
その際、前記ボタン方式が、ボタン部と、輪状のボタン掛け部とを有することが好ましい。また、清掃モップ用シートが、単繊維繊度０．００１〜１．０ｄｔｅｘの極細繊維を含むことが好ましい。また、清掃モップ用シートが、パイル布帛または不織布であることが好ましい。